(57)【要約】      （修正有）【課題】地盤中に打設されたコンクリート杭体の頭部に、鉄塔の主脚柱の基部が埋設された鉄塔基礎を効率的に構築する。【解決手段】ケーシングを設置した状態で、掘削を行った後、前記脚柱補強鉄筋４を杭体用鉄筋籠５に組み付けるとともに、前記脚柱補強鉄筋４の外周面にメッシュ型枠２４を巻き付けた一体組鉄筋籠を挿入し、ほぼ前記主脚柱３の据え付け高さまでコンクリート２０を打設する第１手順と、前記脚柱補強鉄筋４の上部に上蓋を設置する第２手順と、前記脚柱補強鉄筋４とケーシング１２との間の空間にコンクリート２３を打設するとともに、前記ケーシング１２を撤去する第３手順と、前記上蓋を取り除いた後、脚柱補強鉄筋４の空間内に主脚柱３の基部を据え付ける第４手順と、前記脚柱補強鉄筋４内の空間にコンクリート２６を打設する第５手順とからなる。【選択図】図１
2010203127.tif 000002
【特許請求の範囲】
【請求項１】
地盤中に打設されたコンクリート杭体の頭部に、鉄塔の主脚柱の基部が埋設されるとともに、この主脚柱の基部を囲むように上下方向に間隔をおいて脚柱補強鉄筋が配設された鉄塔基礎の構築方法であって、
ケーシングを設置した状態で、掘削を行った後、前記脚柱補強鉄筋を杭体用鉄筋籠に組み付けるとともに、前記脚柱補強鉄筋の外周面にメッシュ型枠を巻き付けた一体組鉄筋籠を挿入し、ほぼ前記主脚柱の据え付け高さまでコンクリートを打設する第１手順と、
前記脚柱補強鉄筋の上部に上蓋を設置する第２手順と、
前記脚柱補強鉄筋とケーシングとの間の空間にコンクリートを打設するとともに、前記ケーシングを撤去する第３手順と、
前記上蓋を取り除いた後、脚柱補強鉄筋の空間内に主脚柱の基部を据え付ける第４手順と、
前記脚柱補強鉄筋内の空間にコンクリートを打設する第５手順とからなることを特徴とする鉄塔基礎の構築方法。
【請求項２】
前記メッシュ型枠の周面には、上下方向に複数段に亘って付着強度を確保するための凹凸部を設けてある請求項１記載の鉄塔基礎の構築方法。
【発明の詳細な説明】
【技術分野】
【０００１】
本発明は、地盤中に打設されたコンクリート杭体の頭部に、鉄塔の主脚柱の基部が埋設されるとともに、この主脚柱の基部を囲むように上下方向に間隔をおいて脚柱補強鉄筋が配設された鉄塔基礎の構築方法に関する。
【背景技術】
【０００２】
前記鉄塔の主脚柱を支持する基礎構造として、比較的支持層が深い場合には、図３０に示されるように、地盤に比較的口径の小さい複数の杭体７０，７０…を打設した後、これら杭体７０，７０…の頂部と連結するように鉄筋コンクリートによってフーチング７１を造成し、このフーチング７１と鉄塔の主脚柱７２とを接続する方式が一般的となっていたが（下記特許文献１等参照）、近年は、送電用鉄塔の杭基礎として、地盤中に打設された杭基礎と、鉄塔の主脚柱とをコンクリートを打設した鋼管内で定着する方法（以下、鋼管定着構造という。）が多く採用されるようになってきた。
【０００３】
このような鉄塔基礎の例としては、例えば下記特許文献２に記載されるように、地盤中に打ち込まれた抗材と鉄塔用脚材とをコンクリート打設により接合し、鉄塔基礎を構築する方法において、前記鉄塔用脚材にコンクリートを支圧するための突出した部材を設け、前記鉄塔用脚材及び打設コンクリートの周囲を拘束する筒状部材（鋼管）を設け、前記筒状部材内壁に打設する前記コンクリートと係合する係合部材を形成し、前記コンクリートを打設して鉄塔基礎を構築するものである。
【０００４】
この基礎構造によれば、耐力が向上し、別途フーチングを設けずに場所打ち杭や小口径鋼管杭と接合することができ、接合部の縮小化、土工量の削減が図れるようになるなどの利点を有する。
【０００５】
ここで、前記特許文献２に係る鉄塔基礎の構築方法について、図２０〜図２９に基づいて説明する。
【０００６】
先ず、図２０に示されるように、ケーシング５０を設置した状態で掘削を終え、鉄筋籠５２を建て込んだならば、ケーシング５０の内側に鋼管５１を設置する。次いでトレミー管を挿入し、徐々に引上げながらコンクリートを打設する。打ち止め高さは鋼管５１の下端部位置とする。図２１に示すようにバキュームにて、スライムを除去した後、必要により主脚材のほぼ据え付け位置までコンクリート５３を打設する。図２２に示すように、鋼管５１内に下蓋５４と上蓋５５とを取付、鋼管５１内にコンクリートが流入しない状態とした後、図２３に示すように鋼管５１の周囲にコンクリート５６を打設し、図２４に示すようにケーシング５０を撤去する。次いで、図２５に示すように、下蓋５４と上蓋５５とを撤去し、図２６に示すように、鋼管５１内で据付調整台５７を用いて位置調整しながら主脚材５８を据え付ける。図２７に示すように、頭部に型枠５９を設置した後、図２８に示すように、定着部及び根巻き部にコンクリート６０を打設した後、図２９に示すように、コンクリートの硬化後に型枠５９を撤去する。
【先行技術文献】
【特許文献】
【０００７】
【特許文献１】特開平９−３８８２号公報
【特許文献２】特開２００４−２８５７３７号公報
【特許文献３】特開２０００−３４５５７１号公報
【発明の概要】
【発明が解決しようとする課題】
【０００８】
しかしながら、前記特許文献２に係る鉄塔基礎の場合は、鋼管５１を事前に準備する必要があるが、この鋼管５１は内面にズレ止め用リブ（係合部材）等の加工を必要とするため、発注から納品までに時間を要し、緊急工事に迅速に対応できない欠点があった。また、鋼管５１は鉄筋よりもかなり製作費が割高になるとともに、製造工場から施工現場まで距離がある場合は、運搬費が嵩むとともに、特に施工場所が山岳地である場合には運搬に多くの手間が掛かるなどの問題があった。
【０００９】
一方、鉄塔の脚材の定着方法として、上記特許文献３に記載されるように、脚材基部を囲むように周囲にスパイラル鉄筋、ウルボン筋等の補強筋を配設し、コンクリートを打設するようにした定着構造（以下、鉄筋定着構造という。）が提案されている。
【００１０】
前記鋼管定着構造では、前述したように、鋼管５１が主脚材５８を定着するための空間を形成する部材を兼用するものである。しかし、鋼管定着構造に代えて上記鉄筋定着構造を採用した場合には、地下水位が高いと脚材据え付け空間を別途の手段によって形成しなければいけないという問題が発生することになる。
【００１１】
そこで本発明の主たる課題は、地盤中に打設されたコンクリート杭体の頭部に、鉄塔の主脚柱の基部が埋設されるとともに、この主脚柱の基部を囲むように上下方向に間隔をおいて脚柱補強鉄筋が配設された鉄塔基礎を効率的に構築する方法を提案することにある。
【課題を解決するための手段】
【００１２】
前記課題を解決するために請求項１に係る本発明として、地盤中に打設されたコンクリート杭体の頭部に、鉄塔の主脚柱の基部が埋設されるとともに、この主脚柱の基部を囲むように上下方向に間隔をおいて脚柱補強鉄筋が配設された鉄塔基礎の構築方法であって、
ケーシングを設置した状態で、掘削を行った後、前記脚柱補強鉄筋を杭体用鉄筋籠に組み付けるとともに、前記脚柱補強鉄筋の外周面にメッシュ型枠を巻き付けた一体組鉄筋籠を挿入し、ほぼ前記主脚柱の据え付け高さまでコンクリートを打設する第１手順と、
前記脚柱補強鉄筋の上部に上蓋を設置する第２手順と、
前記脚柱補強鉄筋とケーシングとの間の空間にコンクリートを打設するとともに、前記ケーシングを撤去する第３手順と、
前記上蓋を取り除いた後、脚柱補強鉄筋の空間内に主脚柱の基部を据え付ける第４手順と、
前記脚柱補強鉄筋の空間にコンクリートを打設する第５手順とからなることを特徴とする鉄塔基礎の構築方法が提供される。
【００１３】
請求項２に係る本発明として、前記メッシュ型枠の周面には、上下方向に複数段に亘って付着強度を確保するための凹凸部を設けてある請求項１記載の鉄塔基礎の構築方法が提供される。
【発明の効果】
【００１４】
以上詳説のとおり本発明によれば、地盤中に打設されたコンクリート杭体の頭部に、鉄塔の主脚柱の基部が埋設されるとともに、この主脚柱の基部を囲むように上下方向に間隔をおいて脚柱補強鉄筋が配設された鉄塔基礎を効率的に構築することが可能となる。
【図面の簡単な説明】
【００１５】
【図１】鉄塔基礎１の構造縦断面図である。
【図２】地下水が存在しない場合等における構築手順図(その１)である。
【図３】地下水が存在しない場合等における構築手順図(その２)である。
【図４】地下水が存在しない場合等における構築手順図(その３)である。
【図５】地下水が存在しない場合等における構築手順図(その４)である。
【図６】地下水が存在しない場合等における構築手順図(その５)である。
【図７】地下水が存在しない場合等における構築手順図(その６)である。
【図８】地下水が存在しない場合等における構築手順図(その７)である。
【図９】地下水が存在する場合等における構築手順図(その１)である。
【図１０】地下水が存在する場合等における構築手順図(その２)である。
【図１１】地下水が存在する場合等における構築手順図(その３)である。
【図１２】地下水が存在する場合等における構築手順図(その４)である。
【図１３】地下水が存在する場合等における構築手順図(その５)である。
【図１４】地下水が存在する場合等における構築手順図(その６)である。
【図１５】地下水が存在する場合等における構築手順図(その７)である。
【図１６】地下水が存在する場合等における構築手順図(その８)である。
【図１７】地下水が存在する場合等における構築手順図(その９)である。
【図１８】上蓋を示す、(A)は側面図、(B)は平面図である。
【図１９】メッシュ型枠２４の変形例を示す側面図である。
【図２０】従来の鋼管定着方式の構築手順図（その１）である。
【図２１】従来の鋼管定着方式の構築手順図（その２）である。
【図２２】従来の鋼管定着方式の構築手順図（その３）である。
【図２３】従来の鋼管定着方式の構築手順図（その４）である。
【図２４】従来の鋼管定着方式の構築手順図（その５）である。
【図２５】従来の鋼管定着方式の構築手順図（その６）である。
【図２６】従来の鋼管定着方式の構築手順図（その７）である。
【図２７】従来の鋼管定着方式の構築手順図（その８）である。
【図２８】従来の鋼管定着方式の構築手順図（その９）である。
【図２９】従来の鋼管定着方式の構築手順図（その１０）である。
【図３０】従来のフーチング式鉄塔基礎を示す側面図である。
【発明を実施するための形態】
【００１６】
以下、本発明の実施の形態について図面を参照しながら詳述する。
図１は鉄塔基礎１の構造縦断面図、図２〜図１８は構築手順図である。
【００１７】
鉄塔基礎１は、図１に示されるように、地盤中に打設されたコンクリート杭体２の頭部２Ａに、鉄塔の主脚柱３の基部が埋設されるとともに、この主脚柱３の基部３Ａを囲むように上下方向に間隔をおいて脚柱補強鉄筋４が配設された鉄塔基礎である。
【００１８】
上記鉄塔基礎１の構築に当たっては、杭頭部２Ａ部分に地下水が存在しないか若しくは水位が低く、地山が自立する場合と、地下水が存在し、地山が自立しない場合とで構築方法が異なるため、それぞれに分けて説明する。
【００１９】
〔地下水が存在しないか若しくは水位が低く、地山が自立する場合〕
以下、図２〜図８に基づいて、構築手順を説明する。
【００２０】
図２に示されるように、事前にライナープレート１０で土留めを行いながら、主脚柱３の設置予定位置の下部まで掘削する。地下水がある場合は、ライナープレート１０の下部外周部にコンクリート１１を打設する。なお、ライナープレート１０の外周は、事前にグラウト注入を行うか、開口式ライナープレートを用いるようにする。
【００２１】
次に、図３に示されるように、所定の位置に杭打ち機（図示せず）を設置するとともに、ライナープレート１０の内側にケーシング１２を設置し、ライナープレート１０の底面より掘削を行う。掘削完了後に、脚柱補強鉄筋４を組み付けた杭体用鉄筋籠５を挿入し、トレミー管を用いほぼ前記主脚柱３の据え付け高さまで、ケーシング１２を引き抜きながらコンクリート１３を打設する。コンクリート１３の上部には、スライム１４が存在している。
【００２２】
前記脚柱補強鉄筋４は、主脚柱３の基部を囲むように上下方向に間隔をおいて配置される補強鉄筋であり、杭主筋を囲むスパイラル鉄筋を用いるか多数のリング鉄筋を多段で配置したものである。この脚柱補強鉄筋４は、杭体用鉄筋籠５の上部に一体的に組み付けられ、掘削穴内に建て込まれる。
【００２３】
図４に示されるように、スライム１４を除去したならば、図５に示されるように、位置調整のための据付調整台１５を設置し、主脚柱３の下端部を前記据付調整台１５にセットし、主脚柱３をサポート材１６を用いて所定の傾斜方向に固定する。前記主脚柱３の下端外周面には、上下方向に所定の間隔で複数の、図示例では６つの支圧板３ａ、３ａ…が固設されている。
【００２４】
図６に示されるように、杭頭部に根巻き用型枠１７を設置したならば、図７に示されるように、コンクリート１８を打設し、その後硬化を待って図８に示されるように、根巻き用型枠１７を撤去し、施工を完了する。
【００２５】
〔地下水が存在し、地山が自立しない場合〕
鉄塔基礎の構築方法は、ケーシングを設置した状態で、掘削を行った後、前記脚柱補強鉄筋４を杭体用鉄筋籠５に組み付けるとともに、前記脚柱補強鉄筋４の外周面にメッシュ型枠２４を巻き付けた一体組鉄筋籠６を挿入し、ほぼ前記主脚柱３の据え付け高さまでコンクリート２０を打設する第１手順と、前記脚柱補強鉄筋４の上部に上蓋１９を設置する第２手順と、前記脚柱補強鉄筋４とケーシング１２との間の空間にコンクリート２３を打設するとともに、前記ケーシング１２を撤去する第３手順と、前記上蓋１９を取り除いた後、脚柱補強鉄筋４の空間内に主脚柱３の基部を据え付ける第４手順と、前記脚柱補強鉄筋４内の空間にコンクリート２６を打設する第５手順とからなるものである。
【００２６】
以下、図９〜図１８に基づいて、具体的に構築手順を説明する。
【００２７】
図９に示されるように、予め脚柱補強鉄筋４を杭体用鉄筋籠５に組み付けるとともに、前記脚柱補強鉄筋４の外周面にメッシュ型枠２４を巻き付けた一体組鉄筋籠６を準備しておく。前記メッシュ型枠２４のメッシュ材としては、薄鋼板、金網、ラス材、布製等種々のものを用いることができる。この作業は掘削穴に建て込む直前までに行えばよい。
【００２８】
図１０に示されるように、所定の位置に杭打ち機（図示せず）を設置するとともに、ケーシング１２を設置し掘削を行う。掘削完了後に、前記一体組鉄筋籠６を挿入し、トレミー管を用いほぼ前記主脚柱３の据え付け予定高さまでケーシング１２を引き抜きながらコンクリート２０を打設する。コンクリート２０の上部には、スライム２１が存在している。
【００２９】
図１１に示されるように、バキュームにてスライム２１を除去したならば、脚柱補強鉄筋４の上部に上蓋１９を設置する。前記上蓋１９は、例えば図１８に示される構造とすることができる。前記一体組鉄筋籠６の主筋２７として、基本的に、上端に拡径加工が施された鉄筋端部定着構造（Ｔヘッドバー工法）を採用し、円錐状の上蓋１９の所要箇所に複数の、図示例では４箇所にボルト孔を形成しておき、前記主筋２７に溶接等によって固定した固定ボルト２８、２８…を前記ボルト孔に差し込んでナット締結した構造とする。
【００３０】
前記上蓋１９の下面には、スポンジ又はゴム等の緩衝部材２９を張設し、主鉄筋２７の上端位置のバラツキを吸収し、隙間を形成しないようにするのが望ましい。なお、図示例では、コンクリート２０の上面に下蓋２２を設置しているが、メッシュ型枠２４の下端を図示例のように、主脚柱３の据え付け予定高さよりも下側まで延在しておけば、メッシュ型枠２４の周囲に打設したコンクリートの内側への回り込みを防止できるため、前記下蓋２２については任意に省略することができる。
【００３１】
次に、図１２に示されるように、前記メッシュ型枠２４とケーシング１２との間の空間にコンクリート２３を打設するとともに、図１３に示されるように、前記上蓋１９と前記ケーシング１２とを撤去する。前記コンクリート２３を打設した際、コンクリートの側圧によってメッシュ型枠２４は脚柱補強鉄筋等の鉄筋に対し変形しながら密着するため、鉄筋との間に隙間が形成されることはない。
【００３２】
次に、図１４に示されるように、位置調整のための据付調整台１５を設置し、主脚柱３の下端部を前記据付調整台１５にセットし、主脚柱３をサポート材１６を用いて所定の傾斜方向に固定する。
【００３３】
図１５に示されるように、杭頭部に根巻き用型枠２５を設置したならば、図１６に示されるように、脚柱補強鉄筋４内の空間及び根巻き部にコンクリート２６を打設し、その後硬化を待って図１７に示されるように、根巻き用型枠２５を撤去し、施工を完了する。
【００３４】
《その他の形態例》
(1)上記形態例では、メッシュ型枠２４として、平面状のものを脚柱補強鉄筋４の周囲に巻き付けるようにしたが、図１９に示されるように、上下方向に複数段に亘って付着強度を確保するための凹凸部２４ａ、２４ａ…が形成されたメッシュ型枠とすることも可能である。
【符号の説明】
【００３５】
１…鉄塔基礎、２…コンクリート杭体、３…主脚柱、４…脚柱補強鉄筋、５…杭体用鉄筋籠、１２…ケーシング、１５…据付調整台、１９…上蓋、２２…下蓋、２４…メッシュ型枠
【図１】
2010203127.tif 000003
【図２】
2010203127.tif 000004
【図３】
2010203127.tif 000005
【図４】
2010203127.tif 000006
【図５】
2010203127.tif 000007
【図６】
2010203127.tif 000008
【図７】
2010203127.tif 000009
【図８】
2010203127.tif 000010
【図９】
2010203127.tif 000011
【図１０】
2010203127.tif 000012
【図１１】
2010203127.tif 000013
【図１２】
2010203127.tif 000014
【図１３】
2010203127.tif 000015
【図１４】
2010203127.tif 000016
【図１５】
2010203127.tif 000017
【図１６】
2010203127.tif 000018
【図１７】
2010203127.tif 000019
【図１８】
2010203127.tif 000020
【図１９】
2010203127.tif 000021
【図２０】
2010203127.tif 000022
【図２１】
2010203127.tif 000023
【図２２】
2010203127.tif 000024
【図２３】
2010203127.tif 000025
【図２４】
2010203127.tif 000026
【図２５】
2010203127.tif 000027
【図２６】
2010203127.tif 000028
【図２７】
2010203127.tif 000029
【図２８】
2010203127.tif 000030
【図２９】
2010203127.tif 000031
【図３０】
2010203127.tif 000032